(57)【要約】【課題】  容易にかつ低コストにて接合・補強を施すことができる信頼性に優れた建築部材の接合構造を提供する。【解決手段】  基礎１、土台２、柱３、筋交６等の建築物の躯体を構成する建築部材同士の接合部を介して建築部材の表面に接着剤を塗布し、接着剤を塗布した接着面に靱性に優れた高引張強度を有する繊維をシート状に形成した繊維シート４を貼り付け、その後、この繊維シート４の表面に接着剤を塗布することにより、繊維シート４に接着剤を確実に含浸させて、建築部材と確実に一体化させる。【選択図】      図１４
0003102245.tif 000002
【実用新案登録請求の範囲】
【請求項１】
木造建築物の躯体を構成する建築部材同士を接合する接合構造であって、
前記建築部材の表面に、前記接合部を跨いで、高引張強度を有する繊維をシート状に形成した繊維シートが、接着剤によって接着され、さらに、前記繊維シートの表面に接着剤が上塗りされていることを特徴とする建築部材の接合構造。
【請求項２】
前記繊維シートが、複数の接合部に跨って接着されて貼り付けられていることを特徴とする請求項１記載の建築部材の接合構造。
【請求項３】
前記繊維シートが、前記接合部の複数面に接着されて貼り付けられていることを特徴とする請求項１または請求項２記載の建築部材の接合構造。
【請求項４】
一枚の前記繊維シートが、一方の建築部材の外周へ巻き付けられて、接合部の両面に接着されて貼り付けられていることを特徴とする請求項３記載の建築部材の接合構造。
【請求項５】
一枚の前記繊維シートが、接合部における互いに隣接した面にわたって接着されて貼り付けられていることを特徴とする請求項３記載の建築部材の接合構造。
【考案の詳細な説明】
【技術分野】
【０００１】
本考案は、木造建築物の躯体を構成する各建築部材同士を繊維シートを用いて接合・補強する、建築部材の接合構造に関するものである。
【背景技術】
【０００２】
地震等による建築物の倒壊は、建築物の躯体を構成する建築部材自体あるいは建築部材同士の接合部が破損することにより生じており、このため、特に、既存の木造建築物の耐震・耐久性能の改善が大きな社会的な問題となっている。
このため、近年では、阪神大震災以来、主要の建築部材同士を、耐震用の特殊な金物を用いて接合しており、特に、住宅の新築においては、法的にも、耐震・耐久性といった性能が要求されているため、柱の径を太くし、耐久性の高い樹種を用い、筋交や火打ちに特殊な金物を用いたり面剛性を高める構造用合板を用い、壁・床などの強度を高めることが行われている。
【考案の開示】
【考案が解決しようとする課題】
【０００３】
しかしながら、上記のような接合構造にあっては、その接合に用いられる特殊な金物が大型かつ複雑なものであるため、その取り付け施工作業に多大な労力を要するという問題があり、特に、既存の建築物への取り付けには、例えば、間柱、建材、下地胴縁などの補強材との取り合いに注意を払わなければならなかった。しかも、金物と木材及び基礎コンクリートとの取り合いにおいては、金物の取り付け方法が複雑となり、施工工事に時間及び労力を要しコストアップを招いていた。
【０００４】
さらに、新築の建築物に用いられた接合金物は、建築部材のやせによりゆるみが生じたり、過大な応力による木材の割裂破壊により、接合耐力が急激に低下してしまうという問題があった。また、金物を設置するために新たに木材の欠損が生じ、耐力低下、そして、増改築の場合、既存部分の腐れからくる耐力低下があり、このような金物では、接合の用をなさないなどの問題があった。
しかも、この種の接合金具の場合、塩害等によって腐食するという問題もあった。
ここで、建築物の建築部材に繊維を接着して接合する技術が考えられつつあるが、単に繊維を切り込みを入れ折り曲げて張着して貼り付けただけでは繊維の特性である引張強度、靱性を十分に生かすことができず、信頼性の高い接合を行うことが困難であった。
従来の繊維補強技術として、公共物の道路、鉄道の高架橋柱、鉄筋コンクリート造建物の柱、梁、スラブ、壁、トンネル内壁などの補強材として繊維が積極的に利用されているが、木質系建築物への利用には至っていないのが現状である。
【０００５】
この考案は、上記事情に鑑みてなされたもので、アラミド繊維、炭素繊維、ガラス繊維などの高引張強度繊維をシート状に形成した繊維からなる補強材の特性を生かして、極めて容易にかつ低コストにて接合・補強を施すことができる信頼性に優れた建築部材の接合構造を提供することを目的としている。
【課題を解決するための手段】
【０００６】
上記課題を解決するために、請求項１に記載の建築部材の接合構造は、木造建築物の躯体を構成する建築部材同士を接合する接合構造であって、前記建築部材の表面に、前記接合部を跨いで、高引張強度を有する繊維をシート状に形成した繊維シートが、接着剤によって接着され、さらに、前記繊維シートの表面に接着剤が上塗りされていることを特徴としている。
【０００７】
このように、基礎、土台、柱、横架材、筋交等の建築物の躯体を構成する建築部材同士の接合部を跨いで建築部材の表面に、単に引張強度が高いだけでなく靱性に優れたアラミド繊維、炭素繊維、ガラス繊維などからなる繊維シートが接着剤によって貼り付けられているので、これら建築部材同士の接合部を、高強度にかつ柔軟に補強することができる。これにより、低コストにて地震時に互いの建築部材同士が外れるようなことがなく、耐震性に優れた構造とすることができる。
また、建築部材に貼り付けられた繊維シートの表面に、接着剤が上塗りされているので、単に接着させただけの構造と比較して、繊維シートと建築部材との接着強度が大幅に向上されて一体化が図られ、高強度な補強とされる。
【０００８】
請求項２に記載の建築部材の接合構造は、請求項１記載の建築部材の接合構造において、前記繊維シートが、複数の接合部に跨って接着されて貼り付けられていることを特徴としている。
【０００９】
つまり、複数の接合部に跨って繊維シートが接着されているので、複数の建築部材同士の接合部を一括して繊維シートによって補強することができる。
【００１０】
請求項３に記載の建築部材の接合構造は、請求項１または請求項２記載の建築部材の接合構造において、前記繊維シートが、前記接合部の複数面に接着されて貼り付けられていることを特徴としている。
【００１１】
すなわち、接合部の複数面に繊維シートが接着されて固定されているので、接合部における補強強度をさらに高めることができ、補強の信頼性を大幅に向上させることができる。
【００１２】
請求項４に記載の建築部材の接合構造は、請求項３記載の建築部材の接合構造において、一枚の前記繊維シートが、一方の建築部材の外周へ巻き付けられて、接合部の両面に接着されて貼り付けられていることを特徴としている。
【００１３】
このように、接合部の表裏に接着された一枚の繊維シートが一方の建築部材に巻き付けられているので、建築部材同士の接合部における抜け出しが確実に防止されて、接合部においてさらに信頼性を高めることができる。
【００１４】
請求項５に記載の建築部材の接合構造は、請求項３記載の建築部材の接合構造において、一枚の前記繊維シートが、接合部における互いに隣接した面にわたって接着されて貼り付けられていることを特徴としている。
【００１５】
このように、接合部の角部等の互いに隣接する面に一枚の繊維シートが接着されて貼り付けられているので、建築部材同士の接合部における補強強度をさらに高めることができ、補強の信頼性を大幅に向上させることができる。
【考案の効果】
【００１６】
本考案の建築部材の接合構造によれば、下記の効果を得ることができる。
請求項１記載の建築部材の接合構造によれば、基礎、土台、柱、横架材、筋交等の建築物の躯体を構成する建築部材同士の接合部を跨いで建築部材の表面に、単に引張強度が高いだけでなく靱性に優れたアラミド繊維、炭素繊維、ガラス繊維などからなる繊維シートが接着剤によって貼り付けられているので、これら建築部材同士の接合部を、高強度にかつ柔軟に補強することができる。これにより、低コストにて地震時に互いの建築部材同士が外れるようなことがなく、耐震性に優れた構造とすることができる。
また、建築部材に貼り付けられた繊維シートの表面に、接着剤が上塗りされているので、単に接着させただけの構造と比較して、繊維シートと建築部材との接着強度が大幅に向上されて一体化が図られ、高強度な補強とされる。
【００１７】
請求項２記載の建築部材の接合構造によれば、複数の接合部に跨って繊維シートが接着されているので、複数の建築部材同士の接合部を一括して繊維シートによって補強することができる。
【００１８】
請求項３記載の建築部材の接合構造によれば、接合部の複数面に繊維シートが接着されて固定されているので、接合部における補強強度をさらに高めることができ、補強の信頼性を大幅に向上させることができる。
【００１９】
請求項４記載の建築部材の接合構造によれば、接合部の表裏に接着された一枚の繊維シートが一方の建築部材に巻き付けられているので、建築部材同士の接合部における抜け出しが確実に防止されて、接合部においてさらに信頼性を高めることができる。
【００２０】
請求項５記載の建築部材の接合構造によれば、接合部の角部等の互いに隣接する面に一枚の繊維シートが接着されて貼り付けられているので、建築部材同士の接合部における補強強度をさらに高めることができ、補強の信頼性を大幅に向上させることができる。
【考案を実施するための最良の形態】
【００２１】
以下、本考案の建築部材の接合構造の実施の形態例を、図面を参照して説明する。
【００２２】
（土台と柱との接合部の補強）
図１において、符号１は、布基礎（基礎）であり、この布基礎１には、その上面に、土台２が固定され、さらに、この土台２の上面に、柱３が立設されている。
そして、この土台２と柱３との接合部には、面一とされた表裏の面の一方に接着剤によって繊維シート４が接着されて貼り付けられている。この場合、土台２と柱３との接合を示しているが、基礎１も含めて接合することができるのは勿論である。
【００２３】
この繊維シート４は、例えば、アラミド繊維、炭素繊維あるいはガラス繊維等の高引張強度を有するとともに靱性に優れた繊維をシート状に形成したもので、土台２側及び柱３側に、それぞれ所定寸法（約１００ｍｍ）以上の長さ寸法分貼り付けられている。
また、接着剤によって接着された繊維シート４には、その表面に、接着剤が上塗りされている。
【００２４】
次に、この接合構造を施工する場合について説明する。
ここで用いる接着剤は、例えばエポキシ系接着剤等のように、二種類の溶剤同士が混合されることにより硬化を開始する、二液性の接着剤を用いることが好ましい。具体的には、例えばポリエチレンやビニール等の柔軟な合成樹脂からなり、収容部を分割できるクリップを内部に有する、パック状の接着剤収容袋を用いることが好ましい。すなわち、クリップによって２つに分割された収容部の各々に適量の溶剤を収容し、その後クリップを外して互いの収容部を連通させて溶剤同士を混合し、硬化を開始させる。そして、この接着剤収容袋から混合させた接着剤を絞り出し、柱３及び土台２の繊維シート４を貼り付ける接着面に満遍なく接着剤を塗布し、その後、ローラやゴムへらなどを用いて接着剤をのばして平滑にする。
【００２５】
このように、接着面に接着剤を十分に塗布したら、この接着剤が塗布された接着面に、繊維シート４を、柱３及び土台２のそれぞれの建築部材に、所定寸法以上の長さ寸法分が重なるように貼り付けて、繊維シート４に接着剤を含浸させ、その後、さらに、この繊維シート４の表面に接着剤を上塗りする。
【００２６】
そして、このように、接着剤によって繊維シート４を貼り付けることにより、土台２と柱３との接合部分が靱性に優れた繊維シート４によって極めて高強度かつ柔軟に補強される。
【００２７】
そして、この場合も、接着剤によって接合部に貼り付けられた靱性に優れた繊維シート４によってその接合部が高強度にかつ柔軟に補強され、これにより、地震時に土台２と柱３とが外れるようなことがなく、耐震性に優れた構造とすることができる。
なお、上記の例では、土台２と柱３との接合部における一方側の面だけに繊維シート４を貼り付けたが、繊維シート４を両面に貼り付けることにより、さらに高強度に補強することができるのは勿論である。
【００２８】
図２に示すものは、土台２と柱３との接合部において、その表裏両面に繊維シート４を貼り付けたもので、さらに、この例では、一枚の繊維シート４を、土台２の底面に通して、接合部の両面に貼り付けている。
そして、このように、接合部の両面にしかも、土台２の底面に通して繊維シート４を貼り付けることにより、さらに高強度に補強することができる。
【００２９】
なお、土台２と柱３との接合部における補強は、図３に示すように、建築物の角部に施工しても良く、この場合は、接合部の角部における両側面に、各々一枚づつの繊維シート４が貼り付けられている。
この場合、出隅の接合を示しているが、入隅の接合もすることができるのは勿論である。更にこの場合、土台２と柱３との接合を示しているが、基礎１も含めて接合することができるのは勿論である。
【００３０】
次に、他の接合構造を順に説明する。
（基礎と土台及び土台と柱との接合部の補強）
図４に示すものは、基礎１、土台２、柱３、及び大引等の横架材５が一体に接合された接合部を、繊維シート４によって一括して補強したものである。図に示すように、この繊維シート４の中間部は、横架材５としての大引を避けるために、ひねって細くされている。このように細くされた部分であるひねり部４ｔを境にして、繊維シート４の一方側が基礎１及び土台２に、他方側が柱３に、各々接着接合されている。すなわち、繊維シート４は、基礎１から土台２を介して柱３まで貼り付けられている。
【００３１】
この場合も、接着剤によって接合部に貼り付けられた靱性に優れた繊維シート４によってその接合部が基礎１を含めた一体補強となり、耐震性が増し、高強度にかつ柔軟に補強され、耐震性に優れた構造とすることができる。
【００３２】
（柱と梁、胴差、桁等の横架材との接合部の補強）
図５に示すものは、繊維シート４によって、柱３と、胴差や桁等といった横架材５との接合部を補強したものであり、図６に示すものは、その角部の両側面を各々一枚づつの繊維シート４によって補強したものである。
この場合も、接着剤によって接合部に貼り付けられた靱性に優れた繊維シート４によってその接合部が高強度にかつ柔軟に補強され、耐震性に優れた構造とすることができる。
【００３３】
（上下階の間における柱と梁、胴差、桁等の横架材との接合部の補強）
図７に示すものは、繊維シート４によって、上下階の柱３と、胴差等の横架材５との接合部を補強したものである。
【００３４】
そして図８に示すものは、上下階の柱３と、胴差や繋ぎ梁等の横架材５とが一体に接合された接合部を、繊維シート４によって一括して補強したものである。図に示すように、この繊維シート４の中間部は、横架材５としての繋ぎ梁を避けるために、捩るあるいは編み込む等してロープ状に細くされている。このようにロープ状とされた部分であるロープ部４ｒを境にして、繊維シート４の一方側が下階の柱３に、他方側が上階の柱３に、各々の柱３を巻き込むようにして接着接合されている。すなわち、繊維シート４によって、上下階の柱３と横架材５との接合部が補強されている。
【００３５】
更に図９に示すものは、上下階の柱３と横架材５との接合部の角部を、計三枚の繊維シート４によって補強したものである。この図９においては、貼り付けられた繊維シート４のうち、繊維方向が略垂直方向のものを符号４Ａとして、略水平方向のものを符号４Ｂとして、各々示している。すなわち図示しているように、上下階の柱３と横架材５との接合部の両側面に、各々一枚ずつの繊維シート４Ａが貼り付けられているとともに、接合部の角部を介して横架材５の両側面間にわたって、一枚の繊維シート４ＢがＬ字状に貼り付けられている。
【００３６】
この場合も、接着剤によって接合部に貼り付けられた靱性に優れた繊維シート４によってその接合部が高強度にかつ柔軟に補強され、耐震性に優れた構造とすることができる。
【００３７】
（土台、梁、胴差等の横架材同士の接合部の補強）
図１０に示すものは、土台、梁、胴差等の横架材５同士の接合部（継手）における側面に繊維シート４が貼り付けられて補強されたもので、特に、図１１に示すものは、梁からなる横架材５同士の継手である接合部を補強したものである。そして、この場合も、接着剤によって接合部に貼り付けられた靱性に優れた繊維シート４によってその接合部が高強度にかつ柔軟に補強され、耐震性に優れかつ曲げ強度に優れた構造とすることができる。
この場合は、側面の補強を示しているが、両側面及び上下面を補強することができるのは勿論である。
なお、この接合部の構造としては、かま継ぎとされ、上方側は、ほぞ２１、溝２２を有するほぞ溝嵌合とされているが、その他の継手に補強することができるのは勿論である。
【００３８】
（梁、胴差等の横架材の割裂部分の接合・補強）
図１２に示すものは、梁、胴差等の横架材５の側面に発生した割裂部分Ｃの周囲に、繊維シート４が貼り付けられて接合・補強するとともに、横架材５の下端面に、この横架材５の長さと略同一長さの繊維シート４が貼り付けられてたわみ補強したものである。この図１２においては、貼り付けられた繊維シート４のうち、繊維方向が略垂直方向のものを符号４Ａとして、略水平方向のものを符号４Ｂとして、各々示している。すなわち図示しているように、割裂部分Ｃの割裂方向と略平行に繊維シート４Ｂが貼り付けられ、さらに、割裂の度合が大きい部分には、割裂方向と略直交に繊維シート４Ａが貼り付けられている。
【００３９】
この場合も、割裂部分Ｃの周囲及び横架材５の下端面に接着剤によって貼り付けられた靱性に優れた繊維シート４によって、横架材５が高強度にかつ柔軟に接合・補強され、耐震性に優れかつ曲げ強度に優れた構造とすることができる。
この場合は、横架材５の側面及び下面の接合・補強を示しているが、上面や角部等も接合・補強することができるのは勿論である。
【００４０】
（筋交の接合部における補強）
図１３〜図１７に示すものは、繊維シート４によって、筋交６の接合部を補強したものである。これらの図においては、貼り付けられた繊維シート４のうち、繊維方向が略垂直方向のものを符号４Ａとして、筋交６の延在方向に略平行のものを符号４Ｃとして、各々示している。
【００４１】
図１３に示す筋交６は、基礎１上の土台２と柱３との接合部における隅部に接合されており、繊維シート４Ｃは、筋交６の表面から土台２と柱３との接合部の表面にわたって貼り付けられている。また、ここでは、繊維シート４Ａが、基礎１と土台２と柱３との接合部にも貼り付けられており、この接合部の補強も施されている。
【００４２】
図１４に示す筋交６は、建築物の角部に施工された、基礎１上の土台２と柱３との接合部における隅部に接合されており、繊維シート４Ｃは、筋交６の表面から土台２と柱３との接合部の表面にわたって貼り付けられている。また、ここでは、繊維シート４Ａが、角部を介して互いに隣接する２面、つまり基礎１、土台２及び柱３の両側面に、各々一枚づつ貼り付けられており、この接合部の補強も施されている。
【００４３】
図１５に示す筋交６は、柱３と、胴差や桁等といった横架材５との接合部における隅部に接合されており、繊維シート４Ｃは、筋交６の表面から柱３と横架材５の接合部の表面にわたって貼り付けられている。また、ここでは、柱３と横架材５との接合部において、その表裏両面に繊維シートを貼り付けており、さらにこの例では、一枚の繊維シート４Ｃを、横架材５の上面を通して接合部の両面に貼り付けている。
【００４４】
図１６に示す筋交６は、建築物の角部に施工された、上下階の柱３と横架材５との接合部における、上階の柱３と横架材５との隅部、及び下階の柱３と横架材５との隅部の各々に接合されており、繊維シート４Ｃは、筋交６の表面から柱３と横架材５との接合部の表面にわたって各々貼り付けられている。また、ここでは、繊維シート４Ａが、上下階の柱３と横架材５との接合部の両側面に各々一枚ずつ貼り付けられて、この接合部の補強も施されている。
【００４５】
更に図１７に示す筋交６は、建築物の角部の柱頭部に施工された、柱３と横架材５との接合部における隅部に接合されており、繊維シート４Ｃは、筋交６の表面から柱３と横架材５の接合部の表面にわたって貼り付けられている。また、ここでは、繊維シート４Ａが、柱３と横架材５との接合部の両側面に各々一枚づつ貼り付けられているとともに、繊維シート４Ｄが、柱頭部近傍を巻き込むようにして、柱３及び横架材５の表面にわたって貼り付けられて、これら接合部の補強も施されている。すなわち繊維シート４Ｄは、貼り付けられた繊維シート４のうちで、繊維方向が、柱３及び横架材５の何れの延在方向とも非平行となっている。
【００４６】
これらの場合も、接着剤によって接合部に貼り付けられた靱性に優れた繊維シート４によってその接合部が高強度にかつ柔軟に補強され、耐震性に優れた構造とすることができる。
特に図１７に示す構造においては、繊維シート４を柱頭部近傍に巻き付けることで、柱３と横架材５との接合部を強固に固定し補強するようにしているので、横架材５に浮き上がりやずれ等が発生することを的確に防止することができる。
【００４７】
以上、説明したように、上記の補強構造によれば、基礎１、土台２、柱３、横架材５、筋交６等の建築物の躯体を構成する建築部材同士の接合部を跨いで建築部材の表面に、単に強度が高いだけでなく靱性に優れたアラミド繊維等からなる繊維シート４が接着剤によって貼り付けられているので、これら建築部材同士の接合部を、高強度にかつ柔軟に補強することができる。これにより、低コストにて地震時に互いの建築部材同士が外れるようなことがなく、耐震性に優れた構造とすることができる。
【００４８】
また、建築部材に貼り付けられた繊維シート４の表面に、接着剤が上塗りされているので、単に接着させただけの構造と比較して、繊維シート４と建築部材との接着強度が大幅に向上されて一体化が図られ、高強度な補強とされる。
【００４９】
しかも、複数の接合部に跨って繊維シート４を接着させることにより（図４、図７、図８、図９、図１３、図１４、図１６、図１７参照）、複数の建築部材同士の接合部を一括して繊維シート４によって補強することができる。
【００５０】
さらには、接合部の表裏面や角部を介した互いに隣接する面に一枚の繊維シート４を接着させて固定させることにより（図２、図９、図１６、図１７参照）、接合部における補強強度をさらに高めることができ、接合の信頼性を大幅に向上させることができる。
【００５１】
特に、一枚の繊維シート４を少なくとも一つの建築部材に巻き付けることにより（図２、図４、図８、図１５、図１７参照）、建築部材同士の接合部における抜け出しが確実に防止されて、接合部においてさらに信頼性を高めることができる。
【００５２】
また、このような接合構造を施工する施工方法においては、建築部材同士の接合部を介して建築部材の表面に接着剤を塗布し、この接着剤を塗布した接着面に靱性に優れたアラミド繊維等をシート状に形成した繊維シート４を貼り付け、その後、この繊維シート４の表面に接着剤を塗布することにより、繊維シート４に接着剤を確実に含浸させて、建築部材と確実に一体化させることができ、建築部材の接合部を極めて高強度にかつ柔軟に補強することができる。これにより、地震時に互いの建築部材同士が外れるようなことがなく、耐震性に優れた上記構造の接合構造を施すことができる。
【００５３】
また、繊維シート４と接着剤とによって施工するので、補強金具を用いた場合と比較して、その施工作業を大幅に簡略化させることができ、短い作業時間にて、低コストにて高強度な補強を施すことができる。
【図面の簡単な説明】
【００５４】
【図１】本考案の実施の形態の建築部材の接合構造を説明する接合部の斜視図である。
【図２】本考案の実施の形態の建築部材の接合構造を説明する他の接合部の斜視図である。
【図３】本考案の実施の形態の建築部材の接合構造を説明する他の接合部の斜視図である。
【図４】本考案の実施の形態の建築部材の接合構造を説明する他の接合部の斜視図である。
【図５】本考案の実施の形態の建築部材の接合構造を説明する他の接合部の斜視図である。
【図６】本考案の実施の形態の建築部材の接合構造を説明する他の接合部の斜視図である。
【図７】本考案の実施の形態の建築部材の接合構造を説明する他の接合部の斜視図である。
【図８】本考案の実施の形態の建築部材の接合構造を説明する他の接合部の斜視図である。
【図９】本考案の実施の形態の建築部材の接合構造を説明する他の接合部の斜視図である。
【図１０】本考案の実施の形態の建築部材の接合構造を説明する他の接合部の斜視図である。
【図１１】本考案の実施の形態の建築部材の接合構造を説明する他の接合部の斜視図である。
【図１２】本考案の実施の形態の建築部材の接合構造を説明する他の接合部の斜視図である。
【図１３】本考案の実施の形態の建築部材の接合構造を説明する他の接合部の斜視図である。
【図１４】本考案の実施の形態の建築部材の接合構造を説明する他の接合部の斜視図である。
【図１５】本考案の実施の形態の建築部材の接合構造を説明する他の接合部の斜視図である。
【図１６】本考案の実施の形態の建築部材の接合構造を説明する他の接合部の斜視図である。
【図１７】本考案の実施の形態の建築部材の接合構造を説明する他の接合部の斜視図である。
【符号の説明】
【００５５】
１  基礎（建築部材）
２  土台（建築部材）
３  柱（建築部材）
４，４Ａ，４Ｂ，４Ｃ，４Ｄ  繊維シート
５  横架材（建築部材）
６  筋交（建築部材）
【図１】
0003102245.tif 000003
【図２】
0003102245.tif 000004
【図３】
0003102245.tif 000005
【図４】
0003102245.tif 000006
【図５】
0003102245.tif 000007
【図６】
0003102245.tif 000008
【図７】
0003102245.tif 000009
【図８】
0003102245.tif 000010
【図９】
0003102245.tif 000011
【図１０】
0003102245.tif 000012
【図１１】
0003102245.tif 000013
【図１２】
0003102245.tif 000014
【図１３】
0003102245.tif 000015
【図１４】
0003102245.tif 000016
【図１５】
0003102245.tif 000017
【図１６】
0003102245.tif 000018
【図１７】
0003102245.tif 000019